(57)【特許請求の範囲】
【請求項１】
所定間隔で平断面コ字状の掛止金具が設けられて対向する支柱に、前記掛止金具を用いて取付けられる筋交いも兼用した仮設足場用先行手摺りであって、
前記対向する支柱の前記掛止金具に上から先側が嵌入する第１、第２の掛止挿入部が両側にそれぞれ設けられた水平部材と、
前記第１、第２の掛止挿入部の基側にそれぞれ固着された第１、第２の取付け金具と、
前記第１、第２の取付け金具に上端部がそれぞれピン又はボルトを介して回動自在に取付けられる第１、第２の筋交い部材と、
前記第１、第２の取付け金具の上位置に回動自在に設けられ、回動する前記第１、第２の筋交い部材の上端部によって、前記掛止金具に外側から押圧されて前記掛止金具の下に位置する鉤部を備えた掛止片と、
前記第１、第２の筋交い部材の下端部にそれぞれ連結され、前記対向する支柱の下位置に設けられている前記掛止金具に装着固定される第１、第２の下側連結金具とを有し、
前記水平部材はパイプ材からなって、前記第１、第２の掛止挿入部は、該水平部材の両側をそれぞれ９０度下側に湾曲させた折り曲げ部の先側を前記掛止金具に嵌入する幅で押し潰して形成されていることを特徴とする仮設足場用先行手摺り。
【請求項２】
所定間隔で平断面コ字状の掛止金具が設けられて対向する支柱に、前記掛止金具を用いて取付けられる筋交いも兼用した仮設足場用先行手摺りであって、
前記対向する支柱の前記掛止金具に上から先側が嵌入する第１、第２の掛止挿入部が両側にそれぞれ設けられた水平部材と、
前記第１、第２の掛止挿入部の基側にそれぞれ固着された第１、第２の取付け金具と、
前記第１、第２の取付け金具に上端部がそれぞれピン又はボルトを介して回動自在に取付けられる第１、第２の筋交い部材と、
前記第１、第２の取付け金具の上位置に回動自在に設けられ、回動する前記第１、第２の筋交い部材の上端部によって、前記掛止金具に外側から押圧されて前記掛止金具の下に位置する鉤部を備えた掛止片と、
前記第１、第２の筋交い部材の下端部にそれぞれ連結され、前記対向する支柱の下位置に設けられている前記掛止金具に装着固定される第１、第２の下側連結金具とを有し、
前記第１、第２の取付け金具は、側面視して下方開放のコ字状となって上部が前記第１、第２の掛止挿入部を前後から挟む状態で固着され、前記掛止片の上端部が前記第１、第２の取付け金具の上位置内側に取付けピンを介して回動可能に取付けられ、コ字状となった前記第１、第２の取付け金具の下部は前記第１、２の筋交い部材の押し潰し部の厚みに合わせて縮幅した第１、第２の筋交い部材取付け部を有していることを特徴とする仮設足場用先行手摺り。
【請求項３】
所定間隔で平断面コ字状の掛止金具が設けられて対向する支柱に、前記掛止金具を用いて取付けられる筋交いも兼用した仮設足場用先行手摺りであって、
前記対向する支柱の前記掛止金具に上から装着される第１、第２の掛止挿入部をそれぞれ有する第１、第２の上側連結金具に固着された水平部材と、
前記第１、第２の上側連結金具に上端部がそれぞれ取付けられる第１、第２の筋交い部材と、
前記第１、第２の筋交い部材の下端部にそれぞれ連結され、前記対向する支柱の下位置に設けられている前記掛止金具に装着固定される第１、第２の下側連結金具とを有し、
前記第１、第２の上側連結金具は、側面視して逆Ｖ字状又は逆Ｕ字状の下側からの切り込みによって、前記掛止金具に上から嵌入する前記第１、第２の掛止挿入部と、前記第１、第２の筋交い部材がピン又はボルトを介して回動自在に取付けられる第１、第２の筋交い部材取付け部とに分離され、
しかも、前記第１、第２の筋交い部材の上端部によって、前記掛止金具に外側から押圧されて前記掛止金具の下に位置する鉤部を有する掛止片が前記第１、第２の筋交い部材取付け部の上位置に回動自在に設けられ、
前記第１、第２の下側連結金具は、鉄板を平面視してコ字状に折り曲げて形成され、中間部には前記掛止金具が嵌入する開口部を備え、前記開口部に前記掛止金具を挿入した状態で、上下のコ字状折り曲げ部及び前記掛止金具の外側板部の間に装着される楔部を有するストッパ片によって前記掛止金具に固定され、
前記ストッパ片はＵ字状となって、一方に前記楔部が他方に抜け止め部が形成され、前記第１、第２の下側連結金具には、前記ストッパ片のＵ字溝に嵌入する第１のピンと、該ストッパ片を前記掛止金具から外す場合に、前記抜け止め部の掛止爪が引っかかる第２のピンが設けられていることを特徴とする仮設足場用先行手摺り。
【請求項４】
請求項３記載の仮設足場用先行手摺りにおいて、前記第１、第２の上側連結金具は、鉄板を、前記第１、第２の掛止挿入部が前記掛止金具に嵌入する幅で平面視してコ字状に折り曲げて形成され、かつ、前記第１、第２の筋交い部材取付け部は、前記コ字状に折り曲げた一片を更に折り曲げて、パイプ材からなる前記第１、第２の筋交い部材の押し潰し部の厚みに合わせて縮幅していることを特徴とする仮設足場用先行手摺り。
【請求項５】
所定間隔で平断面コ字状の掛止金具が設けられて対向する支柱に、前記掛止金具を用いて取付けられる筋交いも兼用した仮設足場用先行手摺りであって、
前記対向する支柱の前記掛止金具に上から先側が嵌入する第１、第２の掛止挿入部が両側にそれぞれ設けられた水平部材と、
前記第１、第２の掛止挿入部の基側にそれぞれ固着された第１、第２の取付け金具と、
前記第１、第２の取付け金具に上端部がそれぞれピン又はボルトを介して回動自在に取付けられる第１、第２の筋交い部材と、
前記第１、第２の取付け金具の上位置に回動自在に設けられ、回動する前記第１、第２の筋交い部材の上端部によって、前記掛止金具に外側から押圧されて前記掛止金具の下に位置する鉤部を備えた掛止片と、
前記第１、第２の筋交い部材の下端部にそれぞれ連結され、前記対向する支柱の下位置に設けられている前記掛止金具に装着固定される第１、第２の下側連結金具とを有し、
前記第１、第２の下側連結金具は、鉄板を平面視してコ字状に折り曲げて形成され、中間部には前記掛止金具が嵌入する開口部を備え、前記開口部に前記掛止金具を挿入した状態で、上下のコ字状折り曲げ部及び前記掛止金具の外側板部の間に装着される楔部を有するストッパ片によって前記掛止金具に固定され、
前記ストッパ片はＵ字状となって、一方に前記楔部が他方に抜け止め部が形成され、前記第１、第２の下側連結金具には、前記ストッパ片のＵ字溝に嵌入する第１のピンと、該ストッパ片を前記掛止金具から外す場合に、前記抜け止め部の掛止爪が引っかかる第２のピンが設けられていることを特徴とする仮設足場用先行手摺り。
【発明の詳細な説明】
【技術分野】
【０００１】
本発明は、仮設足場に使用する筋交い部材を備えた仮設足場用先行手摺りに関する。
【背景技術】
【０００２】
建設現場等で使用される仮設足場の組立てにおいて、第１の作業床の上に更に第２の作業床を設置する場合、第１の作業床より上方に立設した支柱間に先に手摺りを取付けてから第２の作業床を取付ける手摺り先行工法が採用されている。ここで、手摺り先行工法で使用される手摺りは、例えば、特許文献１に記載されているように、両側支柱間に水平に配置する手摺り部材と、手摺り部材の両端にそれぞれ上端部が枢止され、両側支柱の対角位置にある上位ホルダー及び下位ホルダー間に斜めに架設する筋交いとを有し、筋交いの上端部に設けた係止フックを上位ホルダーに上方から挿し込み、筋交いの下端部に設けた係止金具を下位ホルダーにそれぞれ係止することにより、手摺りを両側支柱間に取付けている。
【先行技術文献】
【特許文献】
【０００３】
【特許文献１】特開２００６−１６９９１９公報
【発明の概要】
【発明が解決しようとする課題】
【０００４】
特許文献１に記載された先行手摺りの筋交いの上端部に設けられた係止フックは、伏倒Ｌ字形に形成され、下向きの垂下部分が上位ホルダー内への挿入片となり、挿入片の内角側に上位ホルダーの高さに適応する高さ寸法の切欠き部分が設けられ、挿入片の切欠き部分の下端が抜け止めのための屈曲部になっている。しかし、係止フックを上位ホルダーに挿し込み、挿入片の切欠き部分を上位ホルダーの内面に当接させていても、手摺りに荷重が負荷されて筋交いがずれた場合、挿入片の切欠き部分が上位ホルダーの内面から離脱し係止フックが上位ホルダーから浮き上がり、係止フックを上位ホルダーに係止することが困難になるという問題がある。なお、上位ホルダーに係止した係止フックが抜けないようにする対策として、係止フック（挿入片）の長さを長くすることが考えられるが、係止フックを長くすると、上位ホルダーに係止フックを挿し込んだり、上位ホルダーから係止フックを抜き取ったりするのに要する時間が長くなり、仮設足場の組立て、解体の作業効率が低下するという問題が生じる。
【０００５】
本発明はかかる事情に鑑みてなされたもので、仮設足場の支柱への着脱が容易で、しかも外れ難い仮設足場用先行手摺りを提供することを目的とする。
【課題を解決するための手段】
【０００６】
前記目的に沿う第１の発明に係る仮設足場用先行手摺りは、所定間隔で平断面コ字状の掛止金具が設けられて対向する支柱に、前記掛止金具を用いて取付けられる筋交いも兼用した仮設足場用先行手摺りであって、
前記対向する支柱の前記掛止金具に上から先側が嵌入する第１、第２の掛止挿入部が両側にそれぞれ設けられた水平部材と、
前記第１、第２の掛止挿入部の基側にそれぞれ固着された第１、第２の取付け金具と、
前記第１、第２の取付け金具に上端部がそれぞれピン又はボルトを介して回動自在に取付けられる第１、第２の筋交い部材と、
前記第１、第２の取付け金具の上位置に回動自在に設けられ、回動する前記第１、第２の筋交い部材の上端部によって、前記掛止金具に外側から押圧されて前記掛止金具の下に位置する鉤部を備えた掛止片と、
前記第１、第２の筋交い部材の下端部にそれぞれ連結され、前記対向する支柱の下位置に設けられている前記掛止金具に装着固定される第１、第２の下側連結金具とを有し、
前記水平部材はパイプ材からなって、前記第１、第２の掛止挿入部は、該水平部材の両側をそれぞれ９０度下側に湾曲させた折り曲げ部の先側を前記掛止金具に嵌入する幅で押し潰して形成されている。
【０００７】
【０００８】
第２の発明に係る仮設足場用先行手摺りは、所定間隔で平断面コ字状の掛止金具が設けられて対向する支柱に、前記掛止金具を用いて取付けられる筋交いも兼用した仮設足場用先行手摺りであって、
前記対向する支柱の前記掛止金具に上から先側が嵌入する第１、第２の掛止挿入部が両側にそれぞれ設けられた水平部材と、
前記第１、第２の掛止挿入部の基側にそれぞれ固着された第１、第２の取付け金具と、
前記第１、第２の取付け金具に上端部がそれぞれピン又はボルトを介して回動自在に取付けられる第１、第２の筋交い部材と、
前記第１、第２の取付け金具の上位置に回動自在に設けられ、回動する前記第１、第２の筋交い部材の上端部によって、前記掛止金具に外側から押圧されて前記掛止金具の下に位置する鉤部を備えた掛止片と、
前記第１、第２の筋交い部材の下端部にそれぞれ連結され、前記対向する支柱の下位置に設けられている前記掛止金具に装着固定される第１、第２の下側連結金具とを有し、
前記第１、第２の取付け金具は、側面視して下方開放のコ字状となって上部が前記第１、第２の掛止挿入部を前後から挟む状態で固着され、前記掛止片の上端部が前記第１、第２の取付け金具の上位置内側に取付けピンを介して回動可能に取付けられ、コ字状となった前記第１、第２の取付け金具の下部は前記第１、２の筋交い部材の押し潰し部の厚みに合わせて縮幅した第１、第２の筋交い部材取付け部を有している。
【０００９】
前記目的に沿う第３の発明に係る仮設足場用先行手摺りは、所定間隔で平断面コ字状の掛止金具が設けられて対向する支柱に、前記掛止金具を用いて取付けられる筋交いも兼用した仮設足場用先行手摺りであって、
前記対向する支柱の前記掛止金具に上から装着される第１、第２の掛止挿入部をそれぞれ有する第１、第２の上側連結金具に固着された水平部材と、
前記第１、第２の上側連結金具に上端部がそれぞれ取付けられる第１、第２の筋交い部材と、
前記第１、第２の筋交い部材の下端部にそれぞれ連結され、前記対向する支柱の下位置に設けられている前記掛止金具に装着固定される第１、第２の下側連結金具とを有し、
前記第１、第２の上側連結金具は、側面視して逆Ｖ字状又は逆Ｕ字状の下側からの切り込みによって、前記掛止金具に上から嵌入する前記第１、第２の掛止挿入部と、前記第１、第２の筋交い部材がピン又はボルトを介して回動自在に取付けられる第１、第２の筋交い部材取付け部とに分離され、
しかも、前記第１、第２の筋交い部材の上端部によって、前記掛止金具に外側から押圧されて前記掛止金具の下に位置する鉤部を有する掛止片が前記第１、第２の筋交い部材取付け部の上位置に回動自在に設けられ、
前記第１、第２の下側連結金具は、鉄板を平面視してコ字状に折り曲げて形成され、中間部には前記掛止金具が嵌入する開口部を備え、前記開口部に前記掛止金具を挿入した状態で、上下のコ字状折り曲げ部及び前記掛止金具の外側板部の間に装着される楔部を有するストッパ片によって前記掛止金具に固定され、
前記ストッパ片はＵ字状となって、一方に前記楔部が他方に抜け止め部が形成され、前記第１、第２の下側連結金具には、前記ストッパ片のＵ字溝に嵌入する第１のピンと、該ストッパ片を前記掛止金具から外す場合に、前記抜け止め部の掛止爪が引っかかる第２のピンが設けられている。
【００１０】
第３の発明に係る仮設足場用先行手摺りにおいて、前記第１、第２の上側連結金具は、鉄板を、前記第１、第２の掛止挿入部が前記掛止金具に嵌入する幅で平面視してコ字状に折り曲げて形成され、かつ、前記第１、第２の筋交い部材取付け部は、前記コ字状に折り曲げた一片を更に折り曲げて、パイプ材からなる前記第１、第２の筋交い部材の押し潰し部の厚みに合わせて縮幅していることが好ましい。
【００１１】
第４の発明に係る仮設足場用先行手摺りは、所定間隔で平断面コ字状の掛止金具が設けられて対向する支柱に、前記掛止金具を用いて取付けられる筋交いも兼用した仮設足場用先行手摺りであって、
前記対向する支柱の前記掛止金具に上から先側が嵌入する第１、第２の掛止挿入部が両側にそれぞれ設けられた水平部材と、
前記第１、第２の掛止挿入部の基側にそれぞれ固着された第１、第２の取付け金具と、
前記第１、第２の取付け金具に上端部がそれぞれピン又はボルトを介して回動自在に取付けられる第１、第２の筋交い部材と、
前記第１、第２の取付け金具の上位置に回動自在に設けられ、回動する前記第１、第２の筋交い部材の上端部によって、前記掛止金具に外側から押圧されて前記掛止金具の下に位置する鉤部を備えた掛止片と、
前記第１、第２の筋交い部材の下端部にそれぞれ連結され、前記対向する支柱の下位置に設けられている前記掛止金具に装着固定される第１、第２の下側連結金具とを有し、
前記第１、第２の下側連結金具は、鉄板を平面視してコ字状に折り曲げて形成され、中間部には前記掛止金具が嵌入する開口部を備え、前記開口部に前記掛止金具を挿入した状態で、上下のコ字状折り曲げ部及び前記掛止金具の外側板部の間に装着される楔部を有するストッパ片によって前記掛止金具に固定され、
前記ストッパ片はＵ字状となって、一方に前記楔部が他方に抜け止め部が形成され、前記第１、第２の下側連結金具には、前記ストッパ片のＵ字溝に嵌入する第１のピンと、該ストッパ片を前記掛止金具から外す場合に、前記抜け止め部の掛止爪が引っかかる第２のピンが設けられている。
【００１２】
【発明の効果】
【００１３】
第１〜第４の発明に係る仮設足場用先行手摺りにおいては、第１、第２の掛止挿入部の先側をそれぞれ対向する支柱に設けられている掛止金具に上から嵌入し、対向する支柱の下位置（第１、第２の掛止挿入部をそれぞれ嵌入した掛止金具より下位置）に設けられている掛止金具に第１、第２の下側連結金具を装着固定しようとして、第１、第２の取付け金具にそれぞれ設けられた第１、第２の筋交い部材を回動させると、第１、第２の筋交い部材の上端部によって掛止片が掛止金具に外側から押圧されて、掛止片の鉤部が掛止金具の下に位置するので、掛止金具に嵌入した第１、第２の掛止挿入部が上方に移動しようとしても（抜けようとしても）、掛止片の鉤部が掛止金具の下端に引っかかるため、第１、第２の掛止挿入部の上方への移動を防止することができる。その結果、水平部材を第１、第２の掛止挿入部によって支柱に装着した後に、対向する支柱の下位置の掛止金具に第１、第２の下側連結金具を装着固定する際に、一度装着した水平部材が対向する支柱から外れることを防止でき、仮設足場用先行手摺りを効率的に支柱に取付けることができると共に、仮設足場用先行手摺りが支柱に取付けられた場合は、支柱に水平部材を安定して固定することができる。
一方、水平部材を支柱から取り外す場合、第１、第２の下側連結金具を掛止金具から離脱させると、第１、第２の筋交い部材の上端部による掛止片への押圧状態が解除され、掛止金具の下に位置していた掛止片の鉤部が掛止金具の下から離脱するので、第１、第２の掛止挿入部を掛止金具からそれぞれ引き出すことができる。これにより、第１、第２の下側連結金具の掛止金具からの離脱と、第１、第２の掛止挿入部の掛止金具からの離脱を連続して行うことができ、仮設足場用先行手摺りの支柱からの取り外しを効率的に行うことができる。
【００１４】
第１の発明に係る仮設足場用先行手摺りにおいては、水平部材がパイプ材からなって、第１、第２の掛止挿入部が、水平部材の両側をそれぞれ９０度下側に湾曲させた折り曲げ部の先側を掛止金具に嵌入する幅で押し潰して形成されているので、対向する支柱の掛止金具に第１、第２の掛止挿入部の先側を嵌入して水平部材を取付けた際に、水平部材の水平部分を掛止金具から（上方に）離して保持することができる。その結果、仮設足場用踏板と水平部材との距離を確保することができ、水平部材を仮設足場用踏板に対して適性高さ位置に設けることができる。
【００１５】
第２の発明に係る仮設足場用先行手摺りにおいては、第１、第２の取付け金具が、側面視して下方開放のコ字状となって上部が第１、第２の掛止挿入部を前後から挟む状態で固着され、掛止片の上端部が第１、第２の取付け金具の上位置内側に取付けピンを介して回動可能に取付けられるので、第１、第２の取付け金具を簡便に作製できると共に、掛止片の取付けが容易となって、製作コストが安価となる。
また、コ字状となった第１、第２の取付け金具の下部が第１、２の筋交い部材の押し潰し部の厚みに合わせて縮幅した第１、第２の筋交い部材取付け部を有しているので、第１、第２の筋交い部材取付け部に第１、第２の筋交い部材の押し潰し部を挿入して取付けることができ、第１、第２の筋交い部材取付け部に第１、第２の筋交い部材の押し潰し部を取付けた際の第１、第２の取付け金具の幅（厚み）を小さくできる。このため、仮設足場用先行手摺りを折り畳んだ際の最大幅を小さくすることができると共に、仮設足場用先行手摺りの取付け、取外し作業が容易になる。
【００１６】
第３の発明に係る仮設足場用先行手摺りにおいて、第１、第２の上側連結金具が、鉄板を、第１、第２の掛止挿入部が掛止金具に嵌入する幅で平面視してコ字状に折り曲げて形成されている場合、第１、第２の上側連結金具を簡便かつ安価に作製することができる。
また、第１、第２の筋交い部材取付け部が、コ字状に折り曲げた一片を更に折り曲げて、パイプ材からなる第１、第２の筋交い部材の押し潰し部の厚みに合わせて縮幅している場合、第１、第２の筋交い部材取付け部を第１、第２の筋交い部材の押し潰し部に挿入して取付けた際の第１、第２の上側連結金具の幅（厚み）を小さくすることができ、仮設足場用先行手摺りを折り畳んだ際の最大幅を小さくすることができると共に、仮設足場用先行手摺りの取付け、取外し作業が容易になる。
【００１７】
第３、第４の発明に係る仮設足場用先行手摺りにおいては、第１、第２の下側連結金具が、鉄板を平面視してコ字状に折り曲げて形成され、中間部には掛止金具が嵌入する開口部を備え、開口部に掛止金具を挿入した状態で、上下のコ字状折り曲げ部及び掛止金具の外側板部の間に装着される楔部を有するストッパ片によって掛止金具に固定されるので、第１、第２の下側連結金具を簡便かつ安価に作製することができ、かつ第１、第２の下側連結金具（筋交い部材）の掛止金具への取付け、取外しを容易に行うことができる。
【００１８】
第３、第４の発明に係る仮設足場用先行手摺りにおいては、ストッパ片がＵ字状となって、一方に楔部が他方に抜け止め部が形成され、第１、第２の下側連結金具に、ストッパ片のＵ字溝に嵌入する第１のピンと、ストッパ片を掛止金具から外す場合に、抜け止め部の掛止爪が引っかかる第２のピンが設けられているので、第１、第２の下側連結金具（筋交い部材）を掛止金具に安定して固定することができる。
【図面の簡単な説明】
【００１９】
【図１】本発明の第１の実施の形態に係る仮設足場用先行手摺りを対向する支柱に取付けた際の正面図である。
【図２】第２の掛止挿入部を掛止金具に上方から嵌入した際の説明図である。
【図３】第２の掛止挿入部を掛止金具に嵌入し、掛止片の鉤部を掛止金具の下端に引っかかるように配置した際の説明図である。
【図４】（Ａ）、（Ｂ）、（Ｃ）はそれぞれ第２の取付け金具の正面図、側面図、平断面図である。
【図５】（Ａ）、（Ｂ）はそれぞれ第１、第２の下側連結金具の正面図、平面図である。
【図６】第１の下側連結金具の開口部に掛止金具を嵌入した際の説明図である。
【図７】第１の下側連結金具を掛止金具に装着固定した際の説明図である。
【図８】本発明の第１の実施の形態に係る仮設足場用先行手摺りの折り畳み状態を示す正面図である。
【図９】同仮設足場用先行手摺りの筋交い部材を開いた際の状態を示す正面図である。
【図１０】本発明の第２の実施の形態に係る仮設足場用先行手摺りを対向する支柱に取付けた際の正面図である。
【図１１】第２の上側連結金具を掛止金具に上方から嵌入した際の説明図である。
【図１２】第２の上側連結金具を掛止金具に嵌入し、掛止片の鉤部を掛止金具の下端に引っかかるように配置した際の説明図である。
【図１３】（Ａ）、（Ｂ）、（Ｃ）はそれぞれ第２の上側連結金具の正面図、側面図、平面図である。
【図１４】本発明の第２の実施の形態に係る仮設足場用先行手摺りの折り畳み状態を示す正面図である。
【図１５】同仮設足場用先行手摺りの筋交い部材を開いた際の状態を示す正面図である。
【発明を実施するための形態】
【００２０】
続いて、添付した図面を参照しつつ、本発明を具体化した実施の形態につき説明し、本発明の理解に供する。
図１に示すように、本発明の第１の実施の形態に係る仮設足場用先行手摺り１０は、所定間隔で設けられた平断面コ字状の掛止金具１１、１４、掛止金具１２、１３をそれぞれ有して対向配置された支柱１５、１６に、掛止金具１１〜１４を用いて取付けられる筋交いの機能も兼用した仮設足場用先行手摺りで、対向する支柱１５、１６の掛止金具１１、１２に上から先側が嵌入する第１、第２の掛止挿入部１７、１８が両側にそれぞれ設けられた水平部材１９と、第１、第２の掛止挿入部１７、１８の基側にそれぞれ固着された第１、第２の取付け金具２０、２１と、第１、第２の取付け金具２０、２１に上端部がそれぞれボルト２２を介して回動自在に取付けられる第１、第２の筋交い部材２４、２５とを有している。なお、符号２３は、ボルト２２の先部に螺合してボルト２２の脱落を防止するナットである。また、第１、第２の筋交い部材２４、２５の上端部は、第１、第２の取付け金具２０、２１にピンを介して回動自在に取付けることもできる。
【００２１】
更に、仮設足場用先行手摺り１０は、第１、第２の取付け金具２０、２１の上位置内側に、上端部がピン（取付けピン）２６を介して回動自在に設けられ、回動する第１、第２の筋交い部材２４、２５の上端部によって、掛止金具１１、１２に外側から押圧されて掛止金具１１、１２の下に位置する鉤部２７を備えた掛止片２８と、第１、第２の筋交い部材２４、２５の下端部にそれぞれ連結され、対向する支柱１５、１６の下位置（第２、第１の掛止挿入部１８、１７がそれぞれ嵌入した掛止金具１２、１１より下位置）に設けられている掛止金具１３、１４に装着固定される第１、第２の下側連結金具２９、３０とを有している。また、符号３１は、仮設足場用踏板である。以下、詳細に説明する。
なお、図２、図３は、第２の取付け金具２１の掛止金具１２への装着状態を示している。以下、第２の取付け金具２１について説明するが、第１の取付け金具２０についても同様である。
【００２２】
支柱１５、１６及び筋交い部材２４、２５は、それぞれ鉄製のパイプ材から形成されている。ここで、支柱１５、１６には、支柱１５、１６の対向する側の上下位置にそれぞれ設けられた掛止金具１１、１４、１２、１３以外に、別の掛止金具が、例えば、掛止金具１１、１４、１２、１３に対して周方向に１８０°ずれた位置には掛止金具１１、１４、１２、１３と対向して（同一高さ位置に）、掛止金具１１、１４、１２、１３に対して周方向に９０°及び２７０°それぞれずれた位置には掛止金具１１、１４、１２、１３より上側に設けられている。
【００２３】
図２、図３に示すように、水平部材１９はパイプ材からなって、第２の掛止挿入部１８（第１の掛止挿入部１７も同様）は、水平部材１９の両側をそれぞれ９０度下側に湾曲させた折り曲げ部１９ａの先側を掛止金具１２に嵌入する幅で押し潰して形成されている。このような構成とすることにより、対向する支柱１５、１６の掛止金具１１、１２に第１、第２の掛止挿入部１７、１８の先側をそれぞれ嵌入して水平部材１９を取付けた際に、水平部材１９を掛止金具１１、１２から上方に保持することができる。これにより、仮設足場用踏板３１を取付けた際、仮設足場用踏板３１の上面に対する水平部材１９の高さ位置を、例えば９００ｍｍ以上となるようにすることができ、水平部材１９を仮設足場用踏板３１に対して適性高さ位置に設けることができる。
【００２４】
図４（Ａ）、（Ｂ）、（Ｃ）に示すように、第２の取付け金具２１は、側面視して下方開放のコ字状となって、上部には第２の掛止挿入部１８を前後から挟む状態で固着する対となる取付け片３２、３３が設けられている。また、コ字状となった第２の取付け金具２１の下部（開口側）には、第２の筋交い部材２５の押し潰し部３４の厚みに合わせて縮幅した第２の筋交い部材取付け部３５が設けられている。更に、第２の取付け金具２１の上位置には、掛止片２８を取付けるピン２６が挿通する第１の貫通孔３６が、第２の筋交い部材取付け部３５には、第２の筋交い部材２５の押し潰し部３４を取付けるボルト２２が挿通する第２の貫通孔３７がそれぞれ形成されている。
【００２５】
これによって、掛止片２８を、第１、第２の取付け金具２０、２１の上位置内側に挿し込み、ピン２６を介して回動自在に取付けることができる。また、第２の筋交い部材取付け部３５に第２の筋交い部材２５の押し潰し部３２を、第２の取付け金具２１の上位置内側に挿し込み、ボルト２２を介して回動可能に取付けることができる。更に、第２の筋交い部材取付け部３５に、第２の筋交い部材２５の押し潰し部３２をボルト２２及びナット２３を用いて取付けた際の総幅が小さくなって、仮設足場用先行手摺り１０の取扱が容易になる。
【００２６】
以上のような構成とすることにより、第２の掛止挿入部１８を支柱１６の掛止金具１２に挿し込み、第１の掛止挿入部１７を、支柱１５の掛止金具１１に挿し込むことにより、図１に示すように、水平部材１９を水平状態で支柱１５、１６に取付けることができる。そして、図２に示すように、第２の取付け金具２１の第２の筋交い部材取付け部３５に上端部が回動自在に取付けられた第２の筋交い部材２５を回動して、第２の筋交い部材２５の下端部に連結された第２の下側連結金具３０を掛止金具１４に装着固定しようとすると、第２の筋交い部材２５の上端部（第２の筋交い部材２５の押し潰し部３４の先端部）によって掛止片２８が押圧されて、掛止片２８はピン２６を支点として回動する。これにより、図３に示すように、掛止片２８が掛止金具１２に外側から押圧され、掛止片７２の先部に設けられた鉤部２７が掛止金具１２の下に位置するように移動する。
【００２７】
図５に示すように、第１、第２の下側連結金具２９、３０は、鉄板を平面視してコ字状に折り曲げて形成され、コ字状の折り曲げ側の中間部には掛止金具１３、１４が嵌入する開口部３８を備えている。また、図６、図７に示すように、コ字状に折り曲げた開口側には、第1、第2の筋交い部材２４、２５の下端部にそれぞれ形成された筋交い部材の押し潰し部３９が挿入されて固着されている。
なお、図６、図７は、第１の下側連結金具２９の掛止金具１３への装着状態を示している。以下、第１の下側連結金具２９について説明するが、第２の下側連結金具３０についても同様である。
【００２８】
第１の下側連結金具２９は、開口部３８に掛止金具１３を挿入した状態で、掛止金具１３の上下に位置するコ字状折り曲げ部４０、４１及び掛止金具１３の外側板部４２の間に装着される楔部４３を有するストッパ片４４によって掛止金具１３に固定される。ここで、ストッパ片４４はＵ字状となって、一方に楔部４３が他方に抜け止め部４５が形成され、第１の下側連結金具２９には、ストッパ片４４のＵ字溝４６に嵌入する第１のピン４７と、ストッパ片４４を掛止金具１３から外す場合に、抜け止め部４５の先部に形成された掛止爪が引っかかる第２のピン４９が設けられている。ここで、抜け止め部４５の長さは、楔部４３の長さと比較して、先部に形成された掛止爪４８の分だけ長く形成されている。なお、図５において、符号５０、５１はそれぞれ、第１、第２のピン４７、４９が挿通する第１、第２の貫通孔である。
【００２９】
続いて、本発明の第1の実施の形態に係る仮設足場用先行手摺り１０の作用について説明する。
図８に示すように、水平部材１９の両側に固着された第１、第２の取付け金具２０、２１には、回動自在に第1、第2の筋交い部材２４、２５が取付けられているので、水平部材１９の両側で第1、第2の筋交い部材２４、２５をそれぞれ回動させて、仮設足場用先行手摺り１０を折り畳むことができる。このため、仮設足場用先行手摺り１０の保管が容易になる。
【００３０】
また、仮設足場用先行手摺り１０を使用する場合は、図９に示すように、水平部材１９の両側で第1、第2の筋交い部材２４、２５をそれぞれ回動させて、第1、第2の筋交い部材２４、２５を開くことができる。これにより、開いた状態の第1、第2の筋交い部材２４、２５を把持して持ち上げることで、仮設足場用先行手摺り１０を上方へ移動することができる。
【００３１】
そして、図２に示すように、第1、第2の筋交い部材２４、２５を水平部材１９に対して立設状態にすることで、第２の掛止挿入部１８を支柱１６の掛止金具１２に挿し込み、第１の掛止金入部１７を支柱１５の掛止金具１１に挿し込むことができる。これにより、水平部材１９を水平状態で支柱１５、１６に取付けることができる。次いで、図３に示すように、第２の取付け金具２１に上端部が設けられた第2の筋交い部材２５に装着固定された第２の下側連結金具３０を掛止金具１４に取付けようとして、第2の筋交い部材２５を回動すると、第２の取付け金具２１に設けられた掛止片２８が第2の筋交い部材２５の上端部により押圧されてピン２６を支点として回動して、先部の鉤部２７が掛止金具１２の下位置にくる。一方、第１の取付け金具２０に上端部が設けられた第1の筋交い部材２４に装着固定された第１の下側連結金具２９を掛止金具１３に取付けようとして、第1の筋交い部材２４を回動すると、第１の取付け金具２０に設けられた掛止片２８が第1の筋交い部材２４の上端部により押圧されてピン２６を支点として回動して、先部の鉤部２７が掛止金具１１の下位置にくる。
【００３２】
これにより、掛止金具１１、１２に挿し込んだ第１、第2の掛止挿入部１７、１８が上方に移動しようとしても、掛止片２８の鉤部２７が掛止金具１１、１２の下端部に掛止されるため、第１、第2の掛止挿入部１７、１８の上方への移動が防止される。その結果、水平部材１９を支柱１５、１６に取付けた後に第1、第2の筋交い部材２４、２５を回動して第１，第２の下側連結金具２９、３０を支柱１６、１５に取付ける際に、一度掛止した水平部材１９が支柱１５、１６から外れることを防止でき、仮設足場用先行手摺り１０の効率的な支柱１５、１６への取付けが可能になる。更に、仮設足場用先行手摺り１０が支柱１５、１６に取付けられた際には、支柱１５、１６に水平部材１９を安定して固定することができる。
【００３３】
一方、水平部材１９を支柱１５、１６から取外す場合、第１，第２の下側連結金具２９、３０の掛止金具１３、１４に対する固定を解除した後、第1、第2の筋交い部材２４、２５を回動させて掛止金具１３、１４から離脱させると、第1、第2の筋交い部材２４、２５による掛止片２８の押圧状態が解除され、図２に示すように、掛止金具１１、１２の下に位置していた鉤部２７を掛止金具１１、１２の下位置から離脱させて、第１、第2の掛止挿入部１７、１８を掛止金具１１、１２から引き出すことができる。これにより、第1、第2の筋交い部材２４、２５の掛止金具１３、１４からの離脱と、第１の掛止挿入部１７、１８の掛止金具１１、１２からの離脱を一連の連続した作業として行うことができ、仮設足場用先行手摺り１０の支柱１５、１６からの取外しを効率的に行うことができる。
【００３４】
第1の筋交い部材２４を第１の下側連結金具２９を介して掛止金具１３に取付ける場合（第2の筋交い部材２５を第２の下側連結金具３０を介して掛止金具１４に取付ける場合も同様）、図６に示すように、ストッパ片４４の抜け止め部４５の先部に形成された掛止爪４８を第１、第２のピン４７、４９の間に配置し、掛止爪４８の上端部を第２のピン４９の側部に当接させながらストッパ片４４を第２の筋交い部材２５側に傾動させると、掛止爪４８は第１、第２のピン４７、４９の間を通過できる。そこで、傾動したストッパ片４４を支柱１６と平行状態にしてから下方に移動させると、ストッパ片４４の楔部４３は上下のコ字状折り曲げ部４０、４１及び掛止金具１３の外側板部４２の間に挿入しながら、ストッパ片４４のＵ字溝４６に第１のピン４７が嵌入して、ストッパ片４４の抜け止め部４５は第１、第２のピン４７、４９の間を挿通する。これにより、第1の筋交い部材２４の掛止金具１３への取付けが完了する。
【００３５】
ここで、ストッパ片４４の楔部４３が第１の下側連結金具２９の上下のコ字状折り曲げ部４０、４１及び支柱１６に設けられた掛止金具１３の外側板部４２の間にそれぞれ挿入された後では、仮設足場用先行手摺り１０の使用中にストッパ片４４を上方に引き抜こうとする力が作用しても、ストッパ片４４の抜け止め部４５に設けられた掛止爪４８が第２のピン４９に掛止されて、ストッパ片４４の引く抜けが防止される。したがって第1、第2の筋交い部材２４、２５を支柱１６、１５に安定して固定することができる。
【００３６】
なお、ストッパ片４４を引き抜く場合は、ストッパ片４４を支柱１６と平行にした状態で上方に移動させて掛止爪４８の上端部を第２のピン４９に当接させる。次いで、掛止爪４８の上端部を第２のピン４９の側部に当接させた状態でストッパ片４４を第1の筋交い部材２４側に傾動させると、掛止爪４８は第１、第２のピン４７、４９の間を通過できる。これにより、ストッパ片４４を引き抜くことができ、第1、第2の筋交い部材２４、２５を支柱１６、１５から容易に取外すことができる。
【００３７】
図１０に示すように、本発明の第２の実施の形態に係る仮設足場用先行手摺り５２は、所定間隔で設けられた平断面コ字状の掛止金具５３、５４、掛止金具５５、５６をそれぞれ有して対向配置された支柱５７、５８に、掛止金具５３、５６、５５、５４を用いて取付けられる筋交いの機能も兼用した仮設足場用先行手摺りで、対向する支柱５７、５８の掛止金具５３、５５に上から装着される第１、第２の掛止挿入部５９、６０をそれぞれ有する第１、第２の上側連結金具６１、６２が固着された水平部材６３と、第１、第２の上側連結金具６１、６２に上端部がそれぞれ取付けられる第１、第２の筋交い部材６４、６５と、第１、第２の筋交い部材６４、６５の下端部にそれぞれ連結され、対向する支柱５８、５７の下位置（第２、第１の上側連結金具６２、６１がそれぞれ装着された掛止金具５５、５３より下位置）に設けられている掛止金具５６、５４に装着固定される第１、第２の下側連結金具６６、６７とを有している。以下、詳細に説明する。
【００３８】
支柱５７、５８、水平部材６３、及び第１、第２の筋交い部材６４、６５は、それぞれ鉄製のパイプ材から形成されている。ここで、支柱５７、５８には、支柱５７、５８の対向する側の上下位置にそれぞれ設けられた掛止金具５３、５４、５５、５６以外に、別の掛止金具が、例えば、掛止金具５３、５４、５５、５６に対して周方向に１８０°ずれた位置には掛止金具５３、５４、５５、５６と対向して（同一高さ位置に）、掛止金具５３、５４、５５、５６に対して周方向に９０°及び２７０°それぞれずれた位置には掛止金具５３、５４、５５、５６より上側に設けられている。
【００３９】
図１１、図１２に示すように、第２の上側連結金具６２（第１の上側連結金具６１も同様）は、側面視して逆Ｖ字状の下側からの切り込みによって、掛止金具５５に上から嵌入する第2の掛止挿入部６０と、第2の筋交い部材６５の上端部に形成された第2の筋交い部材の押し潰し部６８がボルト６９を介して回動自在に取付けられる第２の筋交い部材取付け部７０（第１の上側連結金具６１においては第１の筋交い部材取付け部）とに分離される。そして、筋交い部材取付け部７０の上位置には、第2の筋交い部材６５の上端部（第2の筋交い部材６５の押し潰し部６８）によって、掛止金具５５に外側から押圧されて掛止金具５５の下に位置する鉤部７１を先部に有する掛止片７２がピン７３を介して回動自在に設けられている。なお、符号７４は、ボルト６９の先部に螺合してボルト６９の脱落を防止するナットである。ここで、筋交い部材取付け部７０に第2の筋交い部材６５（第2の筋交い部材の押し潰し部６８）を取付ける場合、ボルト６９の代わりにピンを使用してもよい。また、第２の上側連結金具６２に形成する切り込みの形状は、逆Ｕ字状としてもよい。
【００４０】
図１３（Ａ）、（Ｂ）、（Ｃ）に示すように、第２の上側連結金具６２は、鉄板を、第2の掛止挿入部６０が掛止金具５５に嵌入可能となる幅Ｗで平面視してコ字状に折り曲げて形成され、コ字状の折り曲げ側と開口側との中間部（両片）に逆Ｖ字状の切り込みが下側から形成されている。このため、第２の上側連結金具６２では、コ字状の折り曲げ側に第2の掛止挿入部６０が、開口側に筋交い部材取付け部７０がそれぞれ形成されることになる。そして、筋交い部材取付け部７０の上位置には、掛止片７２を取付けるピン７３が挿通する貫通孔７５が形成されている。
【００４１】
ここで、筋交い部材取付け部７０は、コ字状に折り曲げた一片（コ字状に折り曲げた開口側）を更に折り曲げて、第2の筋交い部材の押し潰し部６８の厚みに合わせて縮幅した幅Ｔとして形成している。このため、第2の筋交い部材の押し潰し部６８を筋交い部材取付け部７０に挿入して取付けることができ、筋交い部材取付け部７０に第2の筋交い部材の押し潰し部６８を取付けた際の幅を、掛止挿入部６０の幅より小さくできる。その結果、筋交い部材取付け部７０と筋交い部材の押し潰し部６８をボルト６９及びナット７４を用いて回動自在に取付けた際の総幅が小さくなって、仮設足場用先行手摺り５２の取扱が容易になる。
【００４２】
以上のような構成とすることにより、第２の上側連結金具６２の第2の掛止挿入部６０を支柱５８の掛止金具５５に挿し込み、第１の上側連結金具６１の第１の掛止挿入部５９を、支柱５７の掛止金具５３に挿し込むことにより、図１０に示すように、水平部材６３を水平状態で支柱５７、５８に取付けることができる。そして、図１１に示すように、第２の上側連結金具６２の筋交い部材取付け部７０に上端部が回動自在に取付けられた第2の筋交い部材６５を回動して、第2の筋交い部材６５の下端部に連結された第２の下側連結金具６７を掛止金具５４に装着固定しようとすると、第2の筋交い部材６５の上端部（第2の筋交い部材の押し潰し部６８の先部）によって掛止片７２が押圧されて、掛止片７２はピン７３を支点として回動する。これにより、図１２に示すように、掛止片７２が掛止金具５５に外側から押圧され、掛止片７２の先部に設けられた鉤部７１が掛止金具５５の下位置にくる。
【００４３】
ここで、第１、第２の筋交い部材６４、６５の下端部を、支柱５８、５７に設けられた掛止金具５６、５４にそれぞれ固定する第１、第２の下側連結金具６６、６７は、第1の実施の形態の第１、第２の下側連結金具２９、３０と同一の構成とすることができる。このため、第１、第２の下側連結金具２９、３０と同一の構成部材には同一の符号を付して詳細な説明は省略する。
【００４４】
続いて、本発明の第２の実施の形態に係る仮設足場用先行手摺り５２の作用について説明する。
図１４に示すように、水平部材６３の両側に固着された第１、第２の上側連結金具６１、６２には、回動自在に第１、第２の筋交い部材６４、６５が取付けられているので、水平部材６３の両側で第１、第２の筋交い部材６４、６５をそれぞれ回動させて、仮設足場用先行手摺り５２を折り畳むことができる。このため、仮設足場用先行手摺り５２の保管が容易になる。
【００４５】
また、仮設足場用先行手摺り５２を使用する場合は、図１５に示すように、水平部材６３の両側で第１、第２の筋交い部材６４、６５をそれぞれ回動させて、第１、第２の筋交い部材６４、６５を開くことができる。これにより、開いた状態の第１、第２の筋交い部材６４、６５を把持して持ち上げることで、仮設足場用先行手摺り５２を上方へ移動することができる。
【００４６】
そして、図１１に示すように、第１、第２の筋交い部材６４、６５を水平部材６３に対して立設状態にすることで、第２の上側連結金具６２の第2の掛止挿入部６０を支柱５８の掛止金具５５に挿し込み、第１の上側連結金具６１の第１の掛止挿入部５９を支柱５７の掛止金具５３に挿し込むことができる。これにより、水平部材６３を水平状態で支柱５７、５８に取付けることができる。次いで、図１２に示すように、第２の上側連結金具６２に上端部が設けられた第2の筋交い部材６５に装着固定された第２の下側連結金具６７を掛止金具５４に取付けようとして、第2の筋交い部材６５を回動すると、第２の上側連結金具６２に設けられた掛止片７２が第2の筋交い部材６５の上端部により押圧されてピン７３を支点として回動して、先部の鉤部７１が掛止金具５５の下に位置する。一方、第１の上側連結金具６１に上端部が設けられた第１の筋交い部材６４を掛止金具５６に掛止しようとして回動すると、第１の上側連結金具６１に設けられた掛止片７２が第１の筋交い部材６４の上端部により押圧されてピン７３を支点として回動して、先側の鉤部７１が掛止金具５３の下に位置する。
【００４７】
これにより、掛止金具５３、５５に挿し込んだ第１、第2の掛止挿入部５９、６０が上方に移動しようとしても、掛止片７２の鉤部７１が掛止金具５３、５５の下端部に掛止されるため、第１、第2の掛止挿入部５９、６０の上方への移動が防止される。その結果、水平部材６３を支柱５７、５８に取付けた後に第１、第２の筋交い部材６４、６５を回動して第１、第２の下側連結金具６６、６７を支柱５８、５７に取付ける際に、一度掛止した水平部材６３が支柱５７、５８から外れることを防止でき、仮設足場用先行手摺り５２の効率的な支柱５７、５８への取付けが可能になる。更に、仮設足場用先行手摺り５２が支柱５７、５８に取付けられた際には、支柱５７、５８に水平部材６３を安定して固定することができる。
【００４８】
一方、水平部材６３を支柱５７、５８から取外す場合、第１、第２の下側連結金具６６、６７の掛止金具５６、５４に対する固定を解除した後、第１、第２の筋交い部材６４、６５を回動させて掛止金具５６、５４から離脱させると、第１、第２の筋交い部材６４、６５による掛止片７２の押圧状態が解除され、図１１に示すように、掛止金具５３、５５の下に位置していた鉤部７１を掛止金具５３、５５の下から離脱させて、第１、第2の掛止挿入部５９、６０を掛止金具５３、５５から引き出すことができる。これにより、第１、第２の筋交い部材６４、６５の掛止金具５６、５４からの離脱と、第１、第2の掛止挿入部５９、６０の掛止金具５３、５５からの離脱を一連の連続した作業として行うことができ、仮設足場用先行手摺り５２の支柱５７、５８からの取外しを効率的に行うことができる。
なお、第１、第２の筋交い部材６４、６５を掛止金具５６、５４にそれぞれ取付ける第１、第２の下側連結金具６６、７６の作用は、第１、第２の筋交い部材２４、２５を掛止金具１３、１４にそれぞれ取付ける第１、第２の下側連結金具２９、３０の作用と同一なので、説明は省略する。
【００４９】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
【符号の説明】
【００５０】
１０：仮設足場用先行手摺り、１１、１２、１３、１４：掛止金具、１５、１６：支柱、１７：第１の掛止挿入部、１８：第２の掛止挿入部、１９：水平部材、１９ａ：折り曲げ部、２０：第１の取付け金具、２１：第２の取付け金具、２２：ボルト、２３：ナット、２４：第１の筋交い部材、２５：第２の筋交い部材、２６：ピン、２７：鉤部、２８：掛止片、２９：第１の下側連結金具、３０：第２の下側連結金具、３１：仮設足場用踏板、３２、３３：取付け片、３４：押し潰し部、３５：第２の筋交い部材取付け部、３６：第１の貫通孔、３７：第２の貫通孔、３８：開口部、３９：押し潰し部、４０、４１：コ字状折り曲げ部、４２：外側板部、４３：楔部、４４：ストッパ片、４５：抜け止め部、４６：Ｕ字溝、４７：第１のピン、４８：掛止爪、４９：第２のピン、５０：第１の貫通孔、５１：第２の貫通孔、５２：仮設足場用先行手摺り、５３、５４、５５、５６：掛止金具、５７、５８：支柱、５９：第１の掛止挿入部、６０：第２の掛止挿入部、６１：第１の上側連結金具、６２：第２の上側連結金具、６３：水平部材、６４：第１の筋交い部材、６５：第２の筋交い部材、６６：第１の下側連結金具、６７：第２の下側連結金具、６８：押し潰し部、６９：ボルト、７０：第２の筋交い部材取付け部、７１：鉤部、７２：掛止片、７３：ピン、７４：ナット、７５：貫通孔
【図１】
0005728197.tif 000002
【図２】
0005728197.tif 000003
【図３】
0005728197.tif 000004
【図４】
0005728197.tif 000005
【図５】
0005728197.tif 000006
【図６】
0005728197.tif 000007
【図７】
0005728197.tif 000008
【図８】
0005728197.tif 000009
【図９】
0005728197.tif 000010
【図１０】
0005728197.tif 000011
【図１１】
0005728197.tif 000012
【図１２】
0005728197.tif 000013
【図１３】
0005728197.tif 000014
【図１４】
0005728197.tif 000015
【図１５】
0005728197.tif 000016